(57)【要約】【課題】小型化を図りつつコモンモードノイズによる遠隔制御の誤動作及び不動作の抑制を図る。【解決手段】電源装置Ａ１は、電源ユニット１と、機能ユニット５とを有する。電源ユニット１は、カットオフ周波数以上の周波数の電流を減衰させるフィルタ１０１と、昇圧チョッパ回路１０３及び降圧チョッパ回路１０４を備える。電源ユニット１は、機能ユニット５から受け取った制御信号に応じて降圧チョッパ回路１０４を制御する制御回路１０６を備える。フィルタ１０１は、コモンモードチョークコイル１０１０と、電路と導電性の取付部材２１間に電気的に接続される少なくとも一つの接地用コンデンサ１０１１とを有する。フィルタ１０１は、機能ユニット５の電路と筐体間に電気的に接続される少なくとも一つの接地用コンデンサ５０６を有する。【選択図】        図３
2020119780.tif 000002
【特許請求の範囲】
【請求項１】
交流の電力系統と電気的に接続される電源ユニットと、
前記電源ユニットと電気的に接続される機能ユニットと、
を有し、
前記電源ユニットは、
カットオフ周波数以上の周波数の電流を減衰させるフィルタと、
前記電力系統から入力されて前記フィルタを通過する交流電圧を直流電圧に変換する電力変換回路と、
前記機能ユニットから制御信号を受け取り、受け取った前記制御信号に応じて前記電力変換回路を制御する制御回路と
を備え、
前記フィルタは、
前記電力系統と前記電力変換回路を電気的に接続する電路に挿入されるコモンモードチョークコイルと、
前記電路と導電性の筐体の間に電気的に接続される少なくとも一つの第１コンデンサと、
前記機能ユニットの電路と前記筐体間に電気的に接続される少なくとも一つの第２コンデンサと、
を有する、
電源装置。
【請求項２】
前記第２コンデンサは、前記機能ユニットに設けられ、
前記機能ユニットは、前記第２コンデンサと前記筐体を電気的に接続するための接続端子を有する、
請求項１記載の電源装置。
【請求項３】
前記第２コンデンサは、前記電源ユニットに設けられる、
請求項１記載の電源装置。
【請求項４】
前記電源ユニットは、
前記機能ユニットの電路を前記第２コンデンサに電気的に接続する第１状態と、前記電路を前記第２コンデンサから電気的に切り離す第２状態とを択一的に切り替える切替部を備え、
前記切替部は、前記電力系統から入力される交流電圧が所定のしきい値電圧よりも低いときに前記第１状態に切り替え、前記交流電圧が前記しきい値電圧以上のときに前記第２状態に切り替える、
請求項３記載の電源装置。
【請求項５】
交流の電力系統と電気的に接続される電源ユニットと、
前記電源ユニットと電気的に接続される機能ユニットと、
を有し、
前記電源ユニットは、
カットオフ周波数以上の周波数の電流を減衰させるフィルタと、
前記電力系統から入力されて前記フィルタを通過する交流電圧を直流電圧に変換する電力変換回路と、
前記機能ユニットから制御信号を受け取り、受け取った前記制御信号に応じて前記電力変換回路を制御する制御回路と
を備え、
前記フィルタは、
前記電力系統と前記電力変換回路を電気的に接続する電路に挿入されるコモンモードチョークコイルと、
前記電路と導電性の筐体間に静電容量を付与し、かつ、前記静電容量を可変とする容量部と、
を有し、
前記電源ユニットは、前記容量部の前記静電容量を調整する調整部を備え、
前記調整部は、前記電力系統から入力される交流電圧が所定のしきい値電圧よりも低いときに前記容量部の前記静電容量を大きくし、前記交流電圧が前記しきい値電圧以上のときに前記容量部の前記静電容量を小さくする、
電源装置。
【請求項６】
前記機能ユニットは、赤外線を通信媒体とする無線信号を受信する受信回路を備え、前記無線信号から前記制御信号を取得する、
請求項１〜５のいずれか１項に記載の電源装置。
【請求項７】
請求項１〜６のいずれか１項の電源装置と、
前記電源装置から電力供給を受けて点灯する固体光源と
を備える、
光源ユニット。
【請求項８】
請求項７の光源ユニットと、
前記光源ユニットを支持する器具本体と
を備える、
照明器具。
【発明の詳細な説明】
【技術分野】
【０００１】
本開示は、電源装置、光源ユニット及び照明器具に関する。より詳細には、本開示は、電力変換を行うユニットと制御信号を受け取るユニットを備える電源装置、当該電源装置を備える光源ユニット、及び当該光源ユニットを有する照明器具に関する。
【背景技術】
【０００２】
従来例として特許文献１記載の赤外線リモートコントロール付き照明装置を例示する。当該従来例は、蛍光ランプと、蛍光ランプを点灯させる蛍光ランプ点灯装置と、赤外線リモートコントロール信号を受信して蛍光ランプ点灯装置を制御する赤外線リモートコントロール信号受信器とを具備している。さらに、赤外線リモートコントロール信号受信器は、赤外線受光手段と、赤外線リモートコントロール信号の搬送波周波数を通過域に含み、かつ、通過域より周波数が高い減衰域に蛍光ランプの点灯周波数が含まれる電気的フィルタとを備える。つまり、前記従来例は、赤外線受光手段の電気出力に含まれる蛍光ランプの赤外光成分を電気的フィルタで減衰させることにより、赤外線リモートコントロール信号による遠隔制御の誤動作及び不動作の抑制を図っている。なお、特許文献１記載の従来例においては、蛍光ランプ点灯装置と赤外線リモートコントロール信号受信器が電源装置に相当する。
【先行技術文献】
【特許文献】
【０００３】
【特許文献１】特開２００５−２６８１５９号公報
【発明の概要】
【発明が解決しようとする課題】
【０００４】
ところで、特許文献１記載の従来例では、蛍光ランプ点灯装置に流れるコモンモードノイズの周波数と、赤外線リモートコントロール信号の搬送波周波数とが近い場合に、コモンモードノイズによって遠隔制御の誤動作及び不動作が生じる可能性がある。
【０００５】
一方、電源装置の小型化の要求に対して、コモンモードノイズを抑制するためのフィルタを小型化することが考えられる。当該フィルタは、通常、コモンモードチョークコイルと、いわゆるＹコンデンサ（接地用コンデンサ）とで構成されている。そして、電源装置の小型化を図るために、比較的に大型の部品であるコモンモードチョークコイルの小型化が望まれている。
【０００６】
本開示の目的は、小型化を図りつつコモンモードノイズによる遠隔制御の誤動作及び不動作の抑制を図ることができる電源装置、光源ユニット及び照明器具を提供することである。
【課題を解決するための手段】
【０００７】
本開示の一態様に係る電源装置は、交流の電力系統と電気的に接続される電源ユニットと、前記電源ユニットと電気的に接続される機能ユニットとを有する。前記電源ユニットは、カットオフ周波数以上の周波数の電流を減衰させるフィルタと、前記電力系統から入力されて前記フィルタを通過する交流電圧を直流電圧に変換する電力変換回路とを備える。前記電源ユニットは、前記機能ユニットから制御信号を受け取り、受け取った前記制御信号に応じて前記電力変換回路を制御する制御回路を備える。前記フィルタは、前記電力系統と前記電力変換回路を電気的に接続する電路に挿入されるコモンモードチョークコイルと、前記電路と導電性の筐体の間に電気的に接続される少なくとも一つの第１コンデンサとを有する。前記フィルタは、前記機能ユニットの電路と前記筐体間に電気的に接続される少なくとも一つの第２コンデンサを有する。
【０００８】
本開示の一態様に係る電源装置は、交流の電力系統と電気的に接続される電源ユニットと、前記電源ユニットと電気的に接続される機能ユニットとを有する。前記電源ユニットは、カットオフ周波数以上の周波数の電流を減衰させるフィルタと、前記電力系統から入力されて前記フィルタを通過する交流電圧を直流電圧に変換する電力変換回路とを備える。前記電源ユニットは、前記機能ユニットから制御信号を受け取り、受け取った前記制御信号に応じて前記電力変換回路を制御する制御回路を備える。前記フィルタは、前記電力系統と前記電力変換回路を電気的に接続する電路に挿入されるコモンモードチョークコイルと、前記電路と導電性の筐体の間に静電容量を付与し、かつ、前記静電容量を可変とする容量部とを有する。前記電源ユニットは、前記容量部の前記静電容量を調整する調整部を備える。前記調整部は、前記電力系統から入力される交流電圧が所定のしきい値電圧よりも低いときに前記容量部の前記静電容量を大きくし、前記交流電圧が前記しきい値電圧以上のときに前記容量部の前記静電容量を小さくする。
【０００９】
本開示の一態様に係る光源ユニットは、前記電源装置と、前記電源装置から電力供給を受けて点灯する固体光源とを備える。
【００１０】
本開示の一態様に係る照明器具は、前記光源ユニットと、前記光源ユニットを支持する器具本体とを備える。
【発明の効果】
【００１１】
本開示の電源装置、光源ユニット及び照明器具は、小型化を図りつつコモンモードノイズによる遠隔制御の誤動作及び不動作の抑制を図ることができるという効果がある。
【図面の簡単な説明】
【００１２】
【図１】図１は、本開示の実施形態１に係る照明器具の斜視図である。
【図２】図２は、本開示の実施形態１に係る電源装置、光源ユニット及び同上の照明器具の分解斜視図である。
【図３】図３は、同上の電源装置の回路図である。
【図４】図４は、同上の電源装置における機能ユニットの分解斜視図である。
【図５】図５は、同上の電源装置における機能ユニットの取付部分を示す、一部省略した斜視図である。
【図６】図６は、本開示の実施形態２に係る電源装置の回路図である。
【図７】図７は、本開示の実施形態３に係る電源装置の回路図である。
【図８】図８は、本開示の実施形態４に係る電源装置の回路図である。
【発明を実施するための形態】
【００１３】
以下、本開示の実施形態に係る電源装置、光源ユニット及び照明器具について、図面を参照して詳細に説明する。ただし、実施形態において説明する各図は模式的な図であり、各構成要素の大きさ及び厚さのそれぞれの比が必ずしも実際の寸法比を反映しているとは限らない。なお、以下の実施形態で説明する構成は本開示の一例にすぎない。本開示は、以下の実施形態に限定されず、本開示の効果を奏することができれば、設計等に応じて種々の変更が可能である。
【００１４】
まず、実施形態に係る照明器具３を説明する。実施形態に係る照明器具３（以下、照明器具３と略す。）は、図１及び図２に示すように、実施形態に係る光源ユニット２（以下、光源ユニット２と略す。）と、光源ユニット２を支持する器具本体４とを有している。光源ユニット２は、天井に直付けされる器具本体４に着脱可能に取り付けられる。ただし、器具本体４は、天井に埋め込まれてもよいし、あるいは、壁に直付けされてもよいし、壁に埋め込まれてもよい。
【００１５】
器具本体４は、下面が開放された矩形箱状の収容部４０と、収容部４０の長手方向に沿った両側の開口端縁より斜め上向きに突出する一対の反射板４１と、収容部４０及び一対の反射板４１の長手方向の両端に設けられた一対のエンド板４２とを備える（図２参照）。器具本体４は、収容部４０の底面に設けられている複数の取付孔４００のうちの少なくともいずれか二つの取付孔４００に吊りボルト（不図示）がそれぞれ挿通され、それらの吊りボルトにナット（不図示）が締め付けられることで天井に設置される。また、収容部４０の底面に設けられている複数の電源孔４０１のうちのいずれか一つの電源孔４０１に電源線が挿通される。電源孔４０１に挿通された電源線は、端子台（不図示）を介して、実施形態１に係る電源装置Ａ１の電源ユニット１と電気的に接続される。なお、実施形態１に係る電源装置Ａ１（以下、電源装置Ａ１と略す。）は、電源ユニット１と機能ユニット５を有する（図２参照）。
【００１６】
光源ユニット２は、図２に示すように、電源装置Ａ１と、電源装置Ａ１によって点灯させられる二つのＬＥＤモジュール２２とを備えている。また、光源ユニット２は、取付部材２１と、カバー２３とを備えることが好ましい。
【００１７】
ＬＥＤモジュール２２は、多数のＬＥＤ２２０と、基板２２１と、中継コネクタ２２３とを備えている。基板２２１は、長尺の矩形板状に形成されている。多数のＬＥＤ２２０は、基板２２１の表面（下面）における短手方向の中央に、基板２２１の長手方向に沿って等間隔かつ一列に並べて実装されている。中継コネクタ２２３は、それぞれのＬＥＤモジュール２２の基板２２１において、二つのＬＥＤモジュール２２同士が長手方向に沿って隣り合う側の端部にそれぞれ実装されている。一方のＬＥＤモジュール２２（図２における右側のＬＥＤモジュール２２）に入力コネクタ２２２が実装されている。入力コネクタ２２２は、右側のＬＥＤモジュール２２の基板２２１において、中継コネクタ２２３が実装されている側と反対側の端部（右側の端部）に実装されている。
【００１８】
取付部材２１は、金属板によって長尺の角樋状に形成されている。取付部材２１は、長尺の矩形板状の底板２１０と、底板２１０の長手方向に沿った両端から上向きに立ち上がる一対の側板２１１とを有している。二つのＬＥＤモジュール２２は、互いの中継コネクタ２２３同士が電気的に接続された状態で、底板２１０から切り起こされている複数の爪によって底板２１０の下面に取り付けられている。なお、ＬＥＤモジュール２２の入力コネクタ２２２は、電線によって電源ユニット１の出力用のコネクタと電気的に接続される。
【００１９】
カバー２３は、アクリル樹脂やポリカーボネート樹脂などの透光性を有する合成樹脂によって半円筒形状に形成されている。また、カバー２３は、長手方向に沿って上向きに突出する一対の突壁２３３を有している。カバー２３は、一対の突壁２３３の間に取付部材２１を収容し、取付部材２１の一対の側板２１１の先端（上端）に、一対の突壁２３３の先端（上端）に形成されている引掛部が引っ掛けられることで取付部材２１に取り付けられる。
【００２０】
電源ユニット１は、プリント回路板１９と、プリント回路板１９を収容するケース１８とを有する（図２参照）。プリント回路板１９は、長方形状のプリント配線板に集積回路を含む種々の電子部品が実装されて構成されている。ケース１８は、金属板により、一面（下面）が開口した長尺の矩形箱状に形成されている。ケース１８は、プリント回路板１９を収容し、開口面を底板２１０の上面に向けるようにして取付部材２１に固定される。なお、ケース１８は、取付部材２１に固定された状態において、取付部材２１と電気的に接続されている。さらに、取付部材２１は、光源ユニット２が器具本体４に取り付けられた状態において器具本体４と電気的に接続されている。したがって、電源ユニット１のケース１８は、取付部材２１を通して器具本体４と電気的に接続される。
【００２１】
電源ユニット１の回路構成を図３に示す。電源ユニット１は、入力コネクタ１００、フィルタ１０１、整流器１０２、電力変換回路、出力コネクタ１０５、制御回路１０６、制御電源回路１０７、調光制御回路１０８、消灯制御回路１０９、制御用コネクタ１１０を備える。電力変換回路は、昇圧チョッパ回路１０３と降圧チョッパ回路１０４の二つのスイッチング電源回路を備えている。ただし、電力変換回路は、昇圧チョッパ回路１０３に代えて、降圧チョッパ回路、昇降圧チョッパ回路、フライバックコンバータなどの力率改善機能を有するスイッチング電源回路を備えていればよい。また、電力変換回路は、降圧チョッパ回路１０４に代えて、種々のチョッパ回路、シリーズレギュレータによる定電流回路などを備えてもよい。あるいは、電力変換回路は、力率改善機能と定電流制御機能を有するコンバータ回路であってもかまわない。
【００２２】
入力コネクタ１００は、商用の電力系統（交流電源９）と電気的に接続される。フィルタ１０１は、コモンモードチョークコイル１０１０と、接地用コンデンサ（Ｙコンデンサ）１０１１とを有する。ただし、接地用コンデンサ１０１１は、複数のコンデンサが電気的に直列接続されて構成されてもよい。
【００２３】
整流器１０２は、ダイオードブリッジで構成される。整流器１０２の一対の交流入力端子は、フィルタ１０１及び入力コネクタ１００を介して交流電源９と電気的に接続される。整流器１０２は、交流電源９から供給される交流電圧及び交流電流を全波整流した脈流電圧及び脈流電流を一対の脈流出力端子から出力する。ただし、整流器１０２の一対の脈流出力端子間には、脈流電圧及び脈流電流のリップルを抑制するためのコンデンサＣｒが電気的に接続されている。さらに、整流器１０２の低電位側の脈流出力端子は、接地用コンデンサ１０１１を介してグランド（ケース１８）と電気的に接続されている。
【００２４】
昇圧チョッパ回路１０３は、チョークコイルＬ１、スイッチング素子Ｑ１、整流素子Ｄ１、平滑コンデンサＣ１などで構成される、スイッチング電源回路（力率改善回路）である。また、降圧チョッパ回路１０４は、スイッチング素子Ｑ２、インダクタＬ２、整流素子Ｄ２、抵抗Ｒ１、平滑コンデンサＣ２などで構成される。整流器１０２から出力される脈流電圧が昇圧チョッパ回路１０３で昇圧され、昇圧チョッパ回路１０３から出力される直流電圧が降圧チョッパ回路１０４で降圧される。出力コネクタ１０５は、レセプタクルコネクタからなり、降圧チョッパ回路１０４の出力端子（平滑コンデンサＣ２の両端）と電気的に接続される。
【００２５】
制御回路１０６は、昇圧チョッパ回路１０３のスイッチング素子Ｑ１をスイッチングし、昇圧チョッパ回路１０３の出力電圧を一定に維持する。さらに、制御回路１０６は、降圧チョッパ回路１０４のスイッチング素子Ｑ２をスイッチングし、降圧チョッパ回路１０４の出力電流を目標値に一致させる。制御電源回路１０７は、昇圧チョッパ回路１０３の出力電圧から制御電圧（例えば、３Ｖから５Ｖ程度の直流電圧）を生成する。制御回路１０６は、制御電源回路１０７から供給される制御電圧で動作する。
【００２６】
制御用コネクタ１１０は、レセプタクルコネクタからなり、機能ユニット５のプラグコネクタ５３（図４参照）が差込接続される。後述するように、機能ユニット５から出力される制御信号が制御用コネクタ１１０を介して調光制御回路１０８と消灯制御回路１０９に入力される。
【００２７】
消灯制御回路１０９は、制御信号に応じて、点灯中のＬＥＤモジュール２２を消灯させるための消灯信号を生成して制御回路１０６に出力する。制御回路１０６は、消灯信号を受け取ると、スイッチング素子Ｑ２のスイッチングを中止して降圧チョッパ回路１０４を停止させ、ＬＥＤモジュール２２を消灯する。ただし、制御回路１０６は、消灯信号を受け取った場合、スイッチング素子Ｑ２だけでなくスイッチング素子Ｑ１のスイッチングも中止して昇圧チョッパ回路１０３と降圧チョッパ回路１０４を双方とも停止させてもよい。このように昇圧チョッパ回路１０３と降圧チョッパ回路１０４の双方が停止すれば、降圧チョッパ回路１０４のみが停止する場合と比較して、消灯中における電源装置１の消費電力が削減される。
【００２８】
また、調光制御回路１０８は、制御信号に応じて、ＬＥＤモジュール２２の光出力（調光レベル）を指示する調光信号を生成して制御回路１０６に出力する。なお、調光レベルは、定格電力が供給されているときのＬＥＤモジュール２２の光出力を１００％としたとき、ＬＥＤモジュール２２に供給される単位時間当たりの平均電力の定格電力に対する比率（％）で表される。例えば、ＬＥＤモジュール２２に供給される単位時間当たりの平均電力が定格電力の半分のとき、調光レベルが５０％となる。言い換えると、調光制御回路１０８は、制御信号で指示される調光レベルが５０％であれば、降圧チョッパ回路１０４からＬＥＤモジュール２２に供給される単位時間当たりの平均電力を定格電力の半分にするように指示する調光信号を生成する。制御回路１０６は、調光制御回路１０８から受け取る調光信号に応じて、スイッチング素子Ｑ２のデューティ比を調整することが好ましい。更に詳しく説明すると、調光制御回路１０８は、抵抗Ｒ１の両端電圧から降圧チョッパ回路１０４の出力電流を検出し、当該出力電流の平均値を調光レベルに対応した目標値に一致させるように、調光信号を生成することが好ましい。
【００２９】
機能ユニット５は、図４に示すように、回路ブロック５０、筐体５１、信号ケーブル５２、プラグコネクタ５３などを備えている。回路ブロック５０は、回路基板５０Ａと、回路カバー５０Ｂとを有している。
【００３０】
回路ブロック５０は、図３に示すように、アンテナ５００、無線通信回路５０１、無線制御回路５０２、赤外線通信回路５０３、フォトカプラ５０４、抵抗Ｒ２、Ｒ３、信号出力端子５０５などを有している。回路基板５０Ａは、第１領域５０ＡＡと第２領域とに分けられている（図４参照）。第１領域５０ＡＡには、アンテナ５００を構成する導体が形成されている。また、第２領域には、アンテナ５００を除く、無線通信回路５０１、無線制御回路５０２、赤外線通信回路５０３、フォトカプラ５０４、抵抗Ｒ２、Ｒ３、信号出力端子５０５などが実装されている。なお、回路カバー５０Ｂは、電磁波を減衰させる材料、例えば、銅板又はアルミ板などの金属板で箱状に形成され、第２領域を覆うように回路基板５０Ａに取り付けられている。
【００３１】
無線通信回路５０１は、アンテナ５００で受信する無線信号、例えば、９２０ＭＨｚ帯の電波を媒体とする無線信号を受信し、当該無線信号から制御指令を取得する。なお、無線信号は、送信機から送信され、光源ユニット２の点灯・消灯や調光レベルの調整などを行うための制御指令を伝送する。無線通信回路５０１は、無線信号から取得した制御指令を無線制御回路５０２に出力する。
【００３２】
無線制御回路５０２は、例えば、マイクロコントローラで構成されることが好ましい。無線制御回路５０２は、無線通信回路５０１から受け取った制御指令を伝送するための制御信号を生成する。また、無線制御回路５０２は、制御信号が伝送される一対の信号線と電気的に接続される。無線制御回路５０２には、フォトカプラ５０４の入力端子と、限流用の抵抗Ｒ２とが電気的に直列接続される。つまり、フォトカプラ５０４の入力端子には、信号線に伝送される制御信号が無線制御回路５０２を介して入力される。
【００３３】
信号出力端子５０５は、信号ケーブル５２を介して電源ユニット１の制御用コネクタ１１０と電気的に接続される。信号ケーブル５２は３本の電線５２Ａ、５２Ｂ、５２Ｃで構成される。そして、電源ユニット１のグランドとフォトカプラ５０４の負極側の出力端子（フォトトランジスタのエミッタ）とが１本の電線５２Ａで電気的に接続される。また、制御電源回路１０７の出力端子と抵抗Ｒ３の一端との接続点が、他の１本の電線５２Ｂで電気的に接続される。さらに、抵抗Ｒ３の他端とフォトカプラ５０４の正極側の出力端子（フォトトランジスタのコレクタ）の接続点が、残り１本の電線５２Ｃで調光制御回路１０８及び消灯制御回路１０９と電気的に接続される。つまり、抵抗Ｒ３とフォトトランジスタの直列回路には常に一定の制御電源電圧が印加される。そのため、調光制御回路１０８及び消灯制御回路１０９に入力される制御信号は、フォトカプラ５０４の入力電圧がハイレベルのときにローレベルとなり、フォトカプラ５０４の入力電圧がローレベルのときにハイレベルとなる。例えば、無線制御回路５０２で生成される制御信号がパルス幅変調（ＰＷＭ）信号である場合を想定する。この場合、無線制御回路５０２は、制御指令の調光レベルが１００％のときに制御信号のデューティ比を９５％とし、調光レベルが低く（暗く）なるにつれてデューティ比を減少させればよい。調光制御回路１０８は、無線制御回路５０２から伝送される制御信号のデューティ比が９５％のときに調光レベルを１００％とし、デューティ比が減少するにつれて調光レベルを減少させればよい。また、消灯制御回路１０９は、制御信号のデューティ比が下限値（例えば、１０％）以下のときに、消灯信号を出力すればよい。
【００３４】
赤外線通信回路５０３は、赤外線を媒体とする無線通信を行う。すなわち、赤外線通信回路５０３は、回路基板５０Ａの第２領域に実装されている赤外線受光素子５０３Ａで赤外線信号を受信（受光）し、受信した赤外線信号から取得する設定情報及び制御情報を無線制御回路５０２に出力する。なお、設定情報は、例えば、無線信号（電波）の送信元である送信機に割り当てられている固有の識別情報である。また、制御情報は、光源ユニット２を点灯させる点灯司令、光源ユニット２を消灯させる消灯指令、及び光源ユニット２の調光レベルを指示する調光指令の各指令を含む情報である。なお、赤外線信号は、例えば、一般財団法人家電製品協会によって規定された規格、いわゆる、家電協フォーマットに準拠している。家電協フォーマットでは、波長のピーク値が９００〜９５０ｎｍの赤外線であり、デューティ比が５０％、周波数が３３ｋＨｚ以上、４０ｋＨｚ以下の方形波からなる搬送波が使用される。
【００３５】
無線制御回路５０２は、赤外線通信回路５０３から受け取った設定情報を、マイクロコントローラに内蔵されているメモリに記憶する。無線通信回路５０１は、アンテナ５００で受信する無線信号から、制御指令だけでなく、送信元の送信機の識別情報を取得して無線制御回路５０２に出力する。無線制御回路５０２は、無線通信回路５０１から受け取った識別情報がメモリに記憶（登録）されている識別情報と一致すれば、無線通信回路５０１から受け取った制御指令を伝送するための制御信号を生成する。一方、無線制御回路５０２は、無線通信回路５０１から受け取った識別情報がメモリに記憶されている識別情報と一致しなければ、無線通信回路５０１から受け取った制御指令を破棄して制御信号を生成しない。つまり、無線制御回路５０２は、無線通信回路５０１が複数の送信機から無線信号を受信可能であっても、識別情報があらかじめ登録されている特定の送信機から送信される制御指令だけを受け入れる。
【００３６】
無線制御回路５０２は、赤外線通信回路５０３から制御情報を受け取ると、受け取った制御情報に含まれる指令（点灯指令、消灯指令、調光指令）を伝送するための制御信号を生成する。無線制御回路５０２は、点灯指令を伝送する場合、デューティ比を９５％としたＰＷＭ信号からなる制御信号を生成する。また、無線制御回路５０２は、消灯指令を伝送する場合、デューティ比を下限値以下としたＰＷＭ信号からなる制御信号を生成する。さらに、無線制御回路５０２は、調光指令を伝送する場合、調光指令で指示された調光レベルに対応するデューティ比のＰＷＭ信号からなる制御信号を生成する。なお、機能ユニット５の回路ブロックのグランド（無線通信回路５０１、無線制御回路５０２及び赤外線通信回路５０３の各回路のグランド）は、接地用コンデンサ５０６を介して取付部材２１と電気的に接続される。
【００３７】
筐体５１は、図４に示すように、ボディ５１０とカバー５１１を備えている。ボディ５１０は、一面（下面）が開放された箱状の合成樹脂成形体で構成されている。ボディ５１０は、短手方向に対向する２つの側壁のうちの一方の側壁に、信号ケーブル５２が挿通される挿通溝５１００が設けられている。また、ボディ５１０は、二つの雌ねじ部５１０１を有している。さらに、ボディ５１０は、長手方向に対向する２つの側壁に、一対の引掛孔５１０２がそれぞれ短手方向に並ぶように設けられている。
【００３８】
カバー５１１は、矩形板状の蓋体５１１０と、二対の固定脚５１１１と、アンテナ収容部５１１２とを有している。固定脚５１１１は、蓋体５１１０の短手方向に沿った両端から、それぞれ上向きに突出するように形成されている。なお、これら二対の固定脚５１１１の先端（上端）には、外向きに突出する引掛爪５１１１０が設けられている。アンテナ収容部５１１２は、へん平な矩形箱状に形成されている。また、アンテナ収容部５１１２は、蓋体５１１０の下面から下向きに突出し、蓋体５１１０の上面に開口するように蓋体５１１０と一体に形成されている。また、アンテナ収容部５１１２の長手方向の端部には、蓋体５１１０の厚み方向（上下方向）に貫通する貫通孔５１１３が設けられている。
【００３９】
ボディ５１０とカバー５１１は、カバー５１１の二対の固定脚５１１１がボディ５１０の四つの引掛孔５１０２に引っ掛けられることによって結合される。回路ブロック５０は、回路カバー５０Ｂが取り付けられている回路基板５０Ａの第２領域がボディ５１０内に収容され、回路基板５０Ａの第１領域５０ＡＡ（アンテナ５００）がアンテナ収容部５１１２に収容される。なお、カバー５１１の貫通孔５１１３は、回路基板５０Ａの第２領域に実装されている赤外線受光素子５０３Ａの受光部と対向している。つまり、図示しない設定器（ワイヤレスリモートコントローラ）から送信される赤外線信号は、筐体５１（カバー５１１）の貫通孔５１１３を通して赤外線受光素子５０３Ａに受信（受光）される。
【００４０】
ここで、回路カバー５０Ｂの側面から接続端子６が突出している（図４参照）。接続端子６は、帯状の導体板６０と、正方形状の端子板６１とを有する。導体板６０の長手方向の第１端は、接地用コンデンサ５０６を介して回路ブロック５０のグランドと電気的に接続されている。端子板６１は、導体板６０の長手方向の第２端と電気的かつ機械的に繋がっている。端子板６１の中央に円形の穴６２が貫通している。導体板６０と端子板６１は、例えば、銅又は銅合金などの金属材料からなる板材によって一体に形成されることが好ましい。
【００４１】
機能ユニット５は、図５に示すように、取付部材２１の底板２１０に取り付けられる。底板２１０の長手方向の一端部（図２における左端部）に長方形の開口部２１３が設けられている。機能ユニット５の筐体５１は、アンテナ収容部５１１２を底板２１０の上面側から下面側に向かって開口部２１３に通した状態で底板２１０の上面に固定される。つまり、機能ユニット５は、アンテナ収容部５１１２を開口部２１３から底板２１０の下面側に突き出させた状態で取付部材２１に取り付けられる（図５参照）。また、筐体５１の貫通孔５１１３は、開口部２１３を通して底板２１０の下面側に露出している。したがって、ワイヤレスリモートコントローラから送信される赤外線信号は、透光性を有するカバー２３を透過し、底板２１０の開口部２１３から露出する貫通孔５１１３を通して赤外線通信回路５０３の赤外線受光素子５０３Ａに受光（受信）される。
【００４２】
機能ユニット５の筐体５１は、２本のねじ２４で底板２１０にねじ止めされる。底板２１０における開口部２１３の両側に穴が一つずつ貫通している。これら二つの穴のそれぞれに、ねじ２４が１本ずつ挿通される。そして、各ねじ２４が筐体５１の二つの雌ねじ部５１０１に１本ずつねじ込まれることにより、筐体５１が底板２１０に固定される。なお、１本のねじ２４が端子板６１の穴６２に挿通されるため（図４参照）、機能ユニット５の接地用コンデンサ５０６が接続端子６を回して取付部材２１と電気的に接続される。
【００４３】
ここで、電源ユニット１の昇圧チョッパ回路１０３から接地用コンデンサ１０１１を通してケース１８に流れるコモンモードノイズ周波数と、赤外線信号の搬送波周波数との差が小さいほど、コモンモードノイズが赤外線信号に干渉する可能性が高い。そして、コモンモードノイズが赤外線信号と干渉した場合、機能ユニット５（機能ユニット５による遠隔制御）が誤動作したり、不動作となる可能性が高まる。なお、コモンモードノイズは、主として、昇圧チョッパ回路１０３のスイッチング素子Ｑ１のスイッチング動作に起因して発生する。ゆえに、コモンモードノイズの周波数は、スイッチング素子Ｑ１のスイッチング周波数（昇圧チョッパ回路１０３の動作周波数）と一致する。
【００４４】
そこで、電源装置Ａ１では、コモンモードチョークコイル１０１０と接地用コンデンサ１０１１とで構成されるコモンモードノイズ用のフィルタ１０１（低域通過フィルタ）のカットオフ周波数を赤外線信号の搬送波周波数よりも低くしている。言い換えると、コモンモードチョークコイル１０１０のインダクタンス及び接地用コンデンサ１０１１の静電容量は、カットオフ周波数を搬送波周波数よりも低くする値とされている。なお、カットオフ周波数は、２０ｋＨｚ程度が好ましい。さらに、電源ユニット１では、昇圧チョッパ回路１０３の動作周波数（スイッチング周波数）を搬送波周波数よりも高い周波数（例えば、５５ｋＨｚ）とすることが好ましい。つまり、昇圧チョッパ回路１０３の動作周波数を搬送波周波数よりも高くすれば、コモンモードノイズの周波数が搬送波周波数よりも高くなるため、コモンモードノイズが赤外線信号に干渉する可能性を更に低くすることができる。
【００４５】
ところで、フィルタ１０１を構成するコモンモードチョークコイル１０１０は、相対的に大型の部品である。したがって、電源装置Ａ１を小型化するに当たって、電源ユニット１のコモンモードチョークコイル１０１０を小型化することが望ましい。ただし、コモンモードチョークコイル１０１０を小型化した場合、コモンモードチョークコイル１０１０のインダクタンスが小さくなるので、フィルタ１０１のカットオフ周波数が上昇してしまう。ゆえに、コモンモードチョークコイル１０１０を小型化する場合、Ｙコンデンサ（接地用コンデンサ１０１１）の静電容量を大きくすることでカットオフ周波数の上昇を抑えることが好ましい。
【００４６】
電源装置Ａ１では、機能ユニット５に設けられている接地用コンデンサ５０６が、電源ユニット１のフィルタ１０１を構成する接地用コンデンサ１０１１と電気的に並列接続されている。つまり、電源装置Ａ１では、二つの接地用コンデンサ１０１１、５０６の各々の静電容量の合計がフィルタ１０１のＹコンデンサの静電容量となるので、フィルタ１０１のカットオフ周波数の上昇を抑えることができる。ゆえに、電源装置Ａ１は、小型化を図りつつコモンモードノイズによる遠隔制御の誤動作及び不動作の抑制を図ることができる。
【００４７】
また、電源装置Ａ１では、追加される接地用コンデンサ５０６が機能ユニット５に設けられるので、接地用コンデンサ５０６の追加に伴って電源ユニット１の小型化が阻害されにくいという利点がある。
【００４８】
ここで、追加される接地用コンデンサ５０６（第２コンデンサ）は、機能ユニット５ではなく、電源ユニット１に設けられても構わない。接地用コンデンサ５０６を電源ユニット１に設けた、実施形態２に係る電源装置Ａ２の回路構成を図６に示す。ただし、実施形態２に係る電源装置Ａ２（以下、電源装置Ａ２と略す。）の回路構成は、実施形態１に係る電源装置Ａ１の回路構成とほぼ共通しているので、共通の回路構成には同一の符号を付して説明を省略する場合がある。
【００４９】
電源装置Ａ２においては、信号ケーブル５２に４本目の電線５２Ｄが追加されている。この電線５２Ｄが、機能ユニット５の回路ブロック５０のグランドと、電源ユニット１に設けられた接地用コンデンサ５０６とを電気的に接続している（図６参照）。なお、接地用コンデンサ５０６は、電源ユニット１のプリント回路板１９に実装されることが好ましい。
【００５０】
電源装置Ａ２では、追加される接地用コンデンサ５０６が電源ユニット１に設けられるので、接地用コンデンサ５０６の追加に伴う機能ユニット５の大型化が抑制される。
【００５１】
ところで、電源装置Ａ１、Ａ２の電源ユニット１において、入力コネクタ１００に接続される交流電源９には、１００Ｖ（実効値）、２００Ｖ（実効値）、２３０Ｖ（実効値）などの電源電圧が異なる幾つかの種類が存在する。電源ユニット１は、これら複数種類の交流電源９のいずれが入力コネクタ１００に接続されても、正常にＬＥＤモジュール２２を点灯するように構成されている。一方、フィルタ１０１に使用される接地用コンデンサ１０１１、５０６の静電容量は、交流電源９の電源電圧が高いほど、小さいことが好ましい。
【００５２】
そこで、実施形態３に係る電源装置Ａ３（以下、電源装置Ａ３と略す。）における電源ユニット１は、第１状態と第２状態を択一的に切り替える切替部１１を備えることが好ましい（図７参照）。切替部１１は、スイッチ１１１と、スイッチ１１１をオン・オフする駆動回路１１２とを有することが好ましい。
【００５３】
スイッチ１１１は、バイポーラトランジスタ及び電界効果トランジスタなどの半導体スイッチング素子である。あるいは、スイッチ１１１は、ソリッド・ステート・リレーのような無接点リレー（固体接点リレー）であってもよい。
【００５４】
駆動回路１１２は、交流電源９の電源電圧が１００Ｖ（実効値）系のときはスイッチ１１１をオンし、機能ユニット５の電路（電線５２Ｄ）を接地用コンデンサ５０６に電気的に接続する。また、駆動回路１１２は、交流電源９の電源電圧が２００Ｖ（実効値）系のときはスイッチ１１１をオフし、機能ユニット５の電路を接地用コンデンサ５０６から電気的に切り離す。つまり、切替部１１は、機能ユニット５の電路を接地用コンデンサ５０６に電気的に接続する第１状態と、電路を接地用コンデンサ５０６から電気的に切り離す第２状態とを択一的に切り替えるように構成されている。なお、駆動回路１１２は、整流器１０２から出力される脈流電圧（の実効値）をしきい値電圧（例えば、１５０Ｖ）と比較することにより、電源電圧が１００Ｖ系と２００Ｖ系のいずれであるかを判別している。
【００５５】
電源装置Ａ３は、交流電源９の電源電圧が２００Ｖ系（２００Ｖ又は２３０Ｖ）である場合、コモンモードノイズによる不具合（遠隔制御の誤動作及び不動作）の抑制を優先し、切替部１１を第２状態に切り替えさせる。つまり、電源装置Ａ３は、接地用コンデンサ１０１１、５０６の故障時の安全性低下の抑制を図っている。
【００５６】
一方、交流電源９の電源電圧が１００Ｖ系である場合、電源装置Ａ３は、接地用コンデンサ１０１１、５０６の故障時の安全性低下の抑制を優先し、切替部１１を第１状態に切り替えさせる。つまり、電源装置Ａ３は、フィルタ１０１のカットオフ周波数の上昇を抑えることで遠隔制御の誤動作及び不動作の抑制を図っている。
【００５７】
また、実施形態４に係る電源装置Ａ４（以下、電源装置Ａ４と略す。）において、フィルタ１０１は、接地用コンデンサ５０６の代わりに、複数（例えば、三つ）の接地用コンデンサ１２１、１２２、１２３を電気的に直列接続した容量部１２を備えている（図８参照）。さらに、電源装置Ａ４の電源ユニット１は、容量部１２の静電容量を調整する調整部１３を備えている。
【００５８】
調整部１３は、容量部１２の一つの接地用コンデンサ１２１と電気的に並列接続されたスイッチ１３０と、スイッチ１３０をオン・オフする駆動回路１３１とを有することが好ましい。
【００５９】
スイッチ１３０は、バイポーラトランジスタ及び電界効果トランジスタなどの半導体スイッチング素子である。あるいは、スイッチ１３０は、ソリッド・ステート・リレーのような無接点リレー（固体接点リレー）であってもよい。
【００６０】
駆動回路１３１は、交流電源９の電源電圧が１００Ｖ（実効値）系のときはスイッチ１３０をオンする。また、駆動回路１３１は、交流電源９の電源電圧が２００Ｖ（実効値）系のときはスイッチ１３０をオフする。つまり、調整部１３は、電源電圧が所定のしきい値電圧（例えば、１５０Ｖ）よりも低いとき（電源電圧が１００Ｖ系のとき）に容量部１２の静電容量を大きくするように構成されている。さらに、調整部１３は、交流電圧がしきい値電圧以上のとき（電源電圧が２００Ｖ系のとき）に容量部１２の静電容量を小さくするように構成されている。
【００６１】
電源装置Ａ４は、交流電源９の電源電圧が１００Ｖ系である場合、コモンモードノイズによる不具合（遠隔制御の誤動作及び不動作）の抑制を優先し、調整部１３によって容量部１２の静電容量を大きくさせる。つまり、電源装置Ａ４は、フィルタ１０１のカットオフ周波数の上昇を抑えることで遠隔制御の誤動作及び不動作の抑制を図っている。
【００６２】
一方、電源装置Ａ４は、交流電源９の電源電圧が２００Ｖ系（２００Ｖ又は２３０Ｖ）である場合、容量部１２の故障時の安全性低下の抑制を優先し、調整部１３によって容量部１２の静電容量を小さくさせる。つまり、電源装置Ａ４は、容量部１２の故障時の安全性低下の抑制を図っている。
【００６３】
上述のように第１の態様に係る電源装置（Ａ１；Ａ２；Ａ３）は、交流の電力系統（交流電源９）と電気的に接続される電源ユニット（１）と、電源ユニット（１）と電気的に接続される機能ユニット（５）とを有する。電源ユニット（１）は、カットオフ周波数以上の周波数の電流を減衰させるフィルタ（１０１）と、電力系統から入力されてフィルタ（１０１）を通過する交流電圧を直流電圧に変換する電力変換回路（昇圧チョッパ回路１０３及び降圧チョッパ回路１０４）を備える。電源ユニット（１）は、機能ユニット（５）から制御信号を受け取り、受け取った制御信号に応じて電力変換回路を制御する制御回路（１０６）を備える。フィルタ（１０１）は、電力系統と電力変換回路を電気的に接続する電路に挿入されるコモンモードチョークコイル（１０１０）を有する。フィルタ（１０１）は、電路と導電性の筐体（取付部材２１）の間に電気的に接続される少なくとも一つの第１コンデンサ（接地用コンデンサ１０１１）を有する。フィルタ（１０１）は、機能ユニット（５）の電路と筐体間に電気的に接続される少なくとも一つの第２コンデンサ（接地用コンデンサ５０６）を有する。
【００６４】
第１の態様に係る電源装置（Ａ１；Ａ２；Ａ３）は、第２コンデンサが第１コンデンサと電気的に並列接続されることにより、第１コンデンサの静電容量と第２コンデンサの静電容量の合計がフィルタ（１０１）の静電容量となる。そのため、第１の態様に係る電源装置（Ａ１；Ａ２；Ａ３）は、フィルタ（１０１）のカットオフ周波数の上昇を抑えることにより、小型化を図りつつコモンモードノイズによる遠隔制御の誤動作及び不動作の抑制を図ることができる。
【００６５】
第２の態様に係る電源装置（Ａ１）は、第１の態様との組合せにより実現され得る。第２の態様に係る電源装置（Ａ１）において、第２コンデンサは、機能ユニット（５）に設けられることが好ましい。機能ユニット（５）は、第２コンデンサと筐体を電気的に接続するための接続端子（６）を有することが好ましい。
【００６６】
第２の態様に係る電源装置（Ａ１）は、第２コンデンサの追加に伴って電源ユニット（１）の小型化が阻害されにくい。
【００６７】
第３の態様に係る電源装置（Ａ２；Ａ３）は、第１の態様との組合せにより実現され得る。第３の態様に係る電源装置（Ａ２；Ａ３）において、第２コンデンサは、電源ユニット（１）に設けられることが好ましい。
【００６８】
第３の態様に係る電源装置（Ａ２；Ａ３）は、第２コンデンサが電源ユニット（１）に設けられるので、第２コンデンサの追加に伴う機能ユニット（５）の大型化が抑制される。
【００６９】
第４の態様に係る電源装置（Ａ３）は、第３の態様との組合せにより実現され得る。第４の態様に係る電源装置（Ａ３）において、電源ユニット（１）は、切替部（１１）を備えることが好ましい。切替部（１１）は、機能ユニット（５）の電路を第２コンデンサ（）に電気的に接続する第１状態と、電路を第２コンデンサから電気的に切り離す第２状態とを択一的に切り替えることが好ましい。切替部（１１）は、さらに、電力系統から入力される交流電圧が所定のしきい値電圧よりも低いときに第１状態に切り替え、交流電圧がしきい値電圧以上のときに第２状態に切り替えることが好ましい。
【００７０】
第４の態様に係る電源装置（Ａ３）は、第１コンデンサ及び第２コンデンサの故障時の安全性低下の抑制を図ることができる。
【００７１】
第５の態様に係る電源装置（Ａ４）は、交流の電力系統（交流電源９）と電気的に接続される電源ユニット（１）と、電源ユニット（１）と電気的に接続される機能ユニット（５）とを有する。電源ユニット（１）は、カットオフ周波数以上の周波数の電流を減衰させるフィルタ（１０１）と、電力系統から入力されてフィルタ（１０１）を通過する交流電圧を直流電圧に変換する電力変換回路とを備える。電源ユニット（１）は、機能ユニット（５）から制御信号を受け取り、受け取った制御信号に応じて電力変換回路を制御する制御回路（１０６）を備える。フィルタ（１０１）は、電力系統と電力変換回路を電気的に接続する電路に挿入されるコモンモードチョークコイル（１０１０）と、電路と導電性の筐体（取付部材２１）の間に静電容量を付与し、かつ、静電容量を可変とする容量部（１２）とを有する。電源ユニット（１）は、容量部（１２）の静電容量を調整する調整部（１３）を備える。調整部（１３）は、電力系統から入力される交流電圧が所定のしきい値電圧よりも低いときに容量部（１２）の静電容量を大きくする。調整部（１３）は、交流電圧がしきい値電圧以上のときに容量部（１２）の静電容量を小さくする。
【００７２】
第５の態様に係る電源装置（Ａ４）は、容量部（１２）の容量を調整することにより、フィルタ（１０１）のカットオフ周波数の上昇を抑え、小型化を図りつつコモンモードノイズによる遠隔制御の誤動作及び不動作の抑制を図ることができる。
【００７３】
第６の態様に係る電源装置（Ａ１；Ａ２；Ａ３；Ａ４）は、第１〜第５のいずれか一つとの組合せにより実現され得る。第６の態様に係る電源装置（Ａ１；Ａ２；Ａ３；Ａ４）において、機能ユニット（５）は、赤外線を通信媒体とする無線信号を受信する受信回路（無線通信回路５０１）を備えることが好ましい。機能ユニット（５）は、無線信号から制御信号を取得することが好ましい。
【００７４】
第６の態様に係る電源装置（Ａ１；Ａ２；Ａ３；Ａ４）は、無線信号による遠隔制御を行うことができる。
【００７５】
第７の態様に係る光源ユニット（２）は、第１〜第６のいずれか一つの態様に係る電源装置（Ａ１；Ａ２；Ａ３；Ａ４）と、電源装置（Ａ１；Ａ２；Ａ３；Ａ４）から電力供給を受けて点灯する固体光源（ＬＥＤモジュール２２）とを備える。
【００７６】
第７の態様に係る光源ユニット（２）は、小型化を図りつつコモンモードノイズによる遠隔制御の誤動作及び不動作の抑制を図ることができる。
【００７７】
第８の態様に係る照明器具（３）は、第７の態様に係る光源ユニット（２）と、光源ユニット（２）を支持する器具本体（４）とを備える。
【００７８】
第８の態様に係る照明器具（３）は、小型化を図りつつコモンモードノイズによる遠隔制御の誤動作及び不動作の抑制を図ることができる。
【符号の説明】
【００７９】
Ａ１；Ａ２；Ａ３；Ａ４  電源装置
１  電源ユニット
２  光源ユニット
３  照明器具
４  器具本体
５  機能ユニット
６  接続端子
１１  切替部
１２  容量部
１３  調整部
２１  取付部材（筐体）
２２  ＬＥＤモジュール（固体光源）
１０１  フィルタ
１０３  昇圧チョッパ回路（電力変換回路）
１０４  降圧チョッパ回路（電力変換回路）
１０６  制御回路
５０１  無線通信回路（受信回路）
５０６  接地用コンデンサ（第２コンデンサ）
１０１０  コモンモードチョークコイル
１０１１  接地用コンデンサ（第１コンデンサ）
【図１】
2020119780.tif 000003
【図２】
2020119780.tif 000004
【図３】
2020119780.tif 000005
【図４】
2020119780.tif 000006
【図５】
2020119780.tif 000007
【図６】
2020119780.tif 000008
【図７】
2020119780.tif 000009
【図８】
2020119780.tif 000010